(57)【特許請求の範囲】
【請求項１】
複数の駆動電極と複数のセンサ電極とをこれらの間の絶縁を保ちつつ格子状に重ねたセンサパターンを有するタッチパネルと、
前記各駆動電極に駆動信号を印加するとともに、前記駆動電極と前記センサ電極との交点部分に形成されたコンデンサ毎の静電容量変化に基づいて前記タッチパネルの操作面に対するタッチ操作を検出するコントローラと、を備えたタッチ式入力装置において、
前記コントローラは、
予め設定された前記コンデンサ毎の初期基準値に対する静電容量の変化量を示す素データ群に基づいて導電性の異物の有無を判定し、
異物の有無によって変更される前記コンデンサ毎の制御基準値に対する静電容量の変化量を示す制御データ群に基づいてタッチ操作の有無を判定するものであり、
前記コンデンサ毎の制御基準値は、
前記素データ群に基づいて前記操作面に導電性の異物が有ると判定された場合には、このときの素データ群に応じた素データ基準値にそれぞれ設定され、
前記素データ群に基づいて前記操作面に導電性の異物が無いと判定された場合には、前記初期基準値にそれぞれ設定されることを特徴とするタッチ式入力装置。
【請求項２】
請求項１に記載のタッチ式入力装置において、
前記コントローラは、前記素データ群に基づいて前記操作面に導電性の異物が有ると判定された場合には、さらに前記制御データ群に基づいて導電性の異物の有無を判定するものであり、
前記コンデンサ毎の制御基準値は、
前記制御データ群に基づいて前記操作面に導電性の異物が有ると判定された場合には、このときの制御データ群に応じた制御データ基準値にそれぞれ設定され、
前記制御データ群に基づいて前記操作面に導電性の異物が無いと判定された場合には、前記素データ基準値にそれぞれ設定されることを特徴とするタッチ式入力装置。
【発明の詳細な説明】
【技術分野】
【０００１】
本発明は、タッチ式入力装置に関する。
【背景技術】
【０００２】
従来、タッチパネルをタッチ操作することで、ディスプレイに表示されたマウスポインタ等の操作を行うタッチ式入力装置が知られている（例えば、特許文献１）。このタッチ式入力装置では、ユーザがタッチパネルの操作面に触れることで、例えばディスプレイに表示された複数の機能項目の中から一つを選択して、所望の画面を表示させたり付帯機器を作動させたりすることが可能になっている。また、近年では、タッチ操作として、単に操作面に接触する操作だけでなく、例えばタッチパネルの操作面をある一方向へなぞったり払ったりするなぞり操作（フリック操作）を検出するようにしたタッチ式入力装置が提案されている。なお、こうしたなぞり操作は、例えばディスプレイに表示する画面をそのなぞり方向へスクロールするといった特定の機能と対応付けられる。
【０００３】
さて、こうしたタッチパネルとしては、複数の駆動電極と複数のセンサ電極とを格子状に配置してなるセンサパターンに形成されるコンデンサの静電容量に基づいてタッチ操作を検出する投影型静電容量方式のものがある。このうち、駆動電極とセンサ電極との交点部分に形成されたコンデンサ毎の静電容量の変化を検出する相互容量方式では、同時に複数のタッチ位置を検出することが可能になるといった利点がある。
【０００４】
ところで、タッチパネルの操作面には、例えば水滴や硬貨等の導電性の異物が接触（付着）することがあり、この異物の接触と指等によるタッチ操作とは区別して検出する必要がある。ここで、相互容量方式のタッチパネルにおいて、操作面に指が接触した場合には、該指が接触した範囲のコンデンサの静電容量が、操作面上に物体が何も接触していない状態での基準値（ゼロ）に対して一方の極性（例えば、プラス）側に変化する。これに対し、操作面に異物が接触した場合には、当該異物の接触した範囲のコンデンサの静電容量が他方の極性（例えば、マイナス）側に変化するとともに、当該異物の周辺のコンデンサの静電容量が一方の極性側に変化する。この点を踏まえ、例えば特許文献２には、各コンデンサの静電容量を示す変化量分布を演算し、そのピーク値が所定のマイナスの閾値以下の場合に、操作面に異物が接触したと判定するようにしたタッチ式入力装置が提案されている。
【先行技術文献】
【特許文献】
【０００５】
【特許文献１】特開２０１０−９３２１号公報
【特許文献２】特許４９９４４８９号公報
【発明の概要】
【発明が解決しようとする課題】
【０００６】
ところが、上記のように操作面に導電性の異物が接触したままでは、各コンデンサの静電容量の変化量分布が基準値に対して変化した状態となっているため、タッチ操作を適切に検出することが困難になる。そのため、上記特許文献２のタッチ式入力装置では、操作面に異物が接触した場合には、その旨をディスプレイ等に表示することで、ユーザに異物の除去を促すようにしている。
【０００７】
しかし、操作面に導電性の異物が接触した場合に、当該異物を除去しなければタッチ操作することができないとすると、装置の利便性の低下を招くことになる。特に、タッチ式入力装置が車両に搭載されている場合には、速やかに異物を除去できないことがあるため、こうした問題が顕著なものとなる。
【０００８】
本発明は、上記問題点を解決するためになされたものであって、その目的は、操作面に導電性の異物が接触したままの状態でもタッチ操作を行うことのできるタッチ式入力装置を提供することにある。
【課題を解決するための手段】
【０００９】
上記課題を解決するタッチ式入力装置は、複数の駆動電極と複数のセンサ電極とをこれらの間の絶縁を保ちつつ格子状に重ねたセンサパターンを有するタッチパネルと、前記各駆動電極に駆動信号を印加するとともに、前記駆動電極と前記センサ電極との交点部分に形成されたコンデンサ毎の静電容量変化に基づいて前記タッチパネルの操作面に対するタッチ操作を検出するコントローラと、を備えたものにおいて、前記コントローラは、予め設定された前記コンデンサ毎の初期基準値に対する静電容量の変化量を示す素データ群に基づいて導電性の異物の有無を判定し、異物の有無によって変更される前記コンデンサ毎の制御基準値に対する静電容量の変化量を示す制御データ群に基づいてタッチ操作の有無を判定するものであり、前記コンデンサ毎の制御基準値は、前記素データ群に基づいて前記操作面に導電性の異物が有ると判定された場合には、このときの素データ群に応じた素データ基準値にそれぞれ設定され、前記素データ群に基づいて前記操作面に導電性の異物が無いと判定された場合には、前記初期基準値にそれぞれ設定されることを要旨とする。
【００１０】
上記構成によれば、制御基準値は、素データ群に基づいて操作面に異物が有ると判定されると、この状態での素データ群に応じた素データ基準値に設定される。そのため、制御データ群は、操作面に異物が接触した状態を基準にしたコンデンサの静電容量の変化量を示すことになる。したがって、コントローラは、操作面に導電性の異物が接触したままの状態でも、該操作面に指等が接触したときのコンデンサの静電容量の変化を的確に把握でき、タッチ操作を適切に検出することができる。
【００１３】
上記タッチ式入力装置において、前記コントローラは、前記素データ群に基づいて前記操作面に導電性の異物が有ると判定された場合には、さらに前記制御データ群に基づいて導電性の異物の有無を判定するものであり、前記コンデンサ毎の制御基準値は、前記制御データ群に基づいて前記操作面に導電性の異物が有ると判定された場合には、このときの制御データ群に応じた制御データ基準値にそれぞれ設定され、前記制御データ群に基づいて前記操作面に導電性の異物が無いと判定された場合には、前記素データ基準値にそれぞれ設定されることが好ましい。
【００１４】
上記構成によれば、制御データ群に基づいて異物の有無を判定するため、操作面に異物が接触した状態から時間を空けてさらに別の異物が接触したか否かを判定することができる。そして、制御基準値は、制御データ群に基づいて操作面に異物が有ると判定されると、この状態での制御データ群に応じた制御データ基準値に設定される。これにより、制御データ群は、複数の異物が操作面に接触した状態を基準にしたコンデンサ毎の静電容量の変化量を示すことになる。そのため、コントローラは、時間を空けて操作面に複数の異物が接触した場合でも、該操作面に指等が接触したときのコンデンサの静電容量の変化を的確に把握でき、タッチ操作を適切に検出することができる。
【発明の効果】
【００１５】
本発明によれば、操作面に導電性の異物が接触したままの状態でもタッチ操作を行うことができる。
【図面の簡単な説明】
【００１６】
【図１】車両に搭載した状態のタッチ式入力装置を示す斜視図。
【図２】センターコンソールにおけるタッチパネルの操作面近傍を示す平面図。
【図３】タッチパネルの部分断面図（図２のＡ−Ａ断面図）。
【図４】タッチ式入力装置のブロック図。
【図５】タッチ操作の検出処理手順を示すフローチャート。
【図６】（ａ）は操作面に導電性の異物が接触した状態のタッチパネルを示す模式図、（ｂ）は（ａ）の状態での素データ群を示すグラフ、（ｃ）は（ａ）の状態での制御データ群を示すグラフ。
【図７】（ａ）は操作面に接触した導電性の異物に指が接触した状態のタッチパネルを示す模式図、（ｂ）は（ａ）の状態での素データ群を示すグラフ、（ｃ）は（ａ）の状態での制御データ群を示すグラフ。
【図８】（ａ）は操作面に接触した導電性の異物に指が接触したままの状態でなぞり操作を行ったタッチパネルを示す模式図、（ｂ）は（ａ）の状態での素データ群を示すグラフ、（ｃ）は（ａ）の状態での制御データ群を示すグラフ。
【発明を実施するための形態】
【００１７】
以下、タッチ式入力装置の一実施形態を図面に従って説明する。
図１に示すように、ダッシュボード１の中央部（センタークラスタ）にはディスプレイ２が設けられている。センターコンソール３には、シフトレバー４が設けられており、その手前側には、タッチ式入力装置５のタッチパネル１１がその操作面１１ａを露出させる態様で埋設されている。すなわち、本実施形態のタッチ式入力装置５は車両に搭載されている。なお、操作面１１ａは、ディスプレイ２と略相似形をなす長方形状とされている。そして、ユーザは、指やスタイラス等の導電体を用いてタッチパネル１１をタッチ操作することにより、ディスプレイ２に表示された所望の機能項目の選択及び決定を行い、エアコンディショナやカーナビゲーション等の車載機器に所望の動作を実行させることが可能となっている。なお、タッチ操作には、単に操作面に接触する操作だけでなく、例えばタッチパネルの操作面をある一方向へなぞったり払ったりするなぞり操作（フリック操作）も含まれる。
【００１８】
図２及び図３に示すように、タッチパネル１１には、複数の駆動電極１２と複数のセンサ電極１３とをこれらの間の絶縁を保ちつつ格子状に重ねたセンサパターン１４が設けられている。なお、図面では、説明の便宜上、駆動電極１２を７本、センサ電極１３を５本だけ示している。
【００１９】
具体的には、タッチパネル１１は、駆動電極１２が配置される駆動基板１５と、駆動基板１５上に設けられるとともにセンサ電極１３が配置されるセンサ基板１６と、センサ基板１６上に設けられるカバー１７とを備えている。駆動基板１５、センサ基板１６及びカバー１７は、それぞれ絶縁性材料からなり、操作面１１ａよりも大きな長方形板状に形成されている。そして、カバー１７の上面の一部がタッチパネル１１の操作面１１ａを構成している。
【００２０】
駆動電極１２及びセンサ電極１３は、それぞれ導電性材料からなり、帯状に形成されている。そして、駆動電極１２は、駆動基板１５における操作面１１ａと対向する範囲内で互いに平行になるように一方向（Ｘ方向）に沿って配置されている。一方、センサ電極１３は、センサ基板１６における操作面１１ａと対向する範囲内で互いに平行になるように上記一方向と直交する方向（Ｙ方向）に沿って配置されている。これにより、駆動電極１２及びセンサ電極１３によって格子状のセンサパターン１４が操作面１１ａ内に形成されるとともに、図３において二点鎖線で示すように、駆動電極１２とセンサ電極１３との交点部分にはコンデンサＣが形成されている。なお、本実施形態では、駆動電極１２及びセンサ電極１３は、それぞれ接着剤１８により駆動基板１５及びセンサ基板１６に固定されている。
【００２１】
図４に示すように、タッチ式入力装置５は、上記タッチパネル１１と、そのセンサパターン１４に駆動信号（パルス信号）を印可してタッチ操作を検出するコントローラ２１とを備えている。なお、本実施形態のコントローラ２１は、上記交点部分に形成されたコンデンサＣ毎の静電容量が変化することにより生じる充放電電流に基づいてタッチ位置を検出する相互容量方式を採用している。
【００２２】
具体的には、コントローラ２１は、各駆動電極１２に接続される駆動部２２、各センサ電極１３に接続される検出部２３、及び駆動部２２と検出部２３の作動を制御する制御部２４を有している。駆動部２２は、制御部２４からの制御信号に基づいて、駆動信号を生成するとともに、駆動電極１２を１本ずつ選択して生成した駆動信号を印加する。検出部２３は、制御部２４からの制御信号に基づいて、センサ電極１３を１本ずつ選択し、駆動電極１２に印加された駆動信号に応じて該センサ電極１３に流れる充放電電流を出力信号として受信する。また、検出部２３は、センサ電極１３のそれぞれから出力される出力信号に基づいてコンデンサＣ毎の静電容量を検出し、これらコンデンサＣ毎の静電容量を示す検出信号を制御部２４に出力する。そして、制御部２４は、検出信号に基づいてタッチ操作及びその座標を検出し、その検出結果をディスプレイ２に出力する。
【００２３】
ここで、制御部２４は、例えば水滴や硬貨等の導電性の異物が操作面１１ａに接触したままの状態でも、タッチ操作を検出可能に構成されている。なお、本実施形態では、指等が接触した場合に静電容量が変化する極性をプラスとし、導電性の異物が接触した場合に静電容量が変化する極性をマイナスとする。
【００２４】
詳述すると、制御部２４にはメモリ２４ａが設けられている。メモリ２４ａには、センサパターン１４の交点部分に形成されるコンデンサＣ毎に予め設定された初期基準値が記憶されている。なお、本実施形態では、初期基準値は、操作面１１ａ上に物体が何も接触していない状態での静電容量の値（ゼロ）に設定されている。また、メモリ２４ａには、コンデンサＣ毎に異物の有無によって変更される制御基準値が記憶されている。
【００２５】
制御部２４は、検出部２３から検出信号が入力されると、初期基準値に対するコンデンサＣ毎の静電容量の変化量を示す素データ群に基づいて導電性の異物の有無、すなわち操作面１１ａに異物が接触したか否かを判定する。具体的には、素データ群の少なくとも１つのデータ（初期基準値に対する各コンデンサＣのうちの少なくとも１つの静電容量）の変化量が所定のマイナスの値に設定された異物判定閾値以下となった場合に異物が有ると判定する。また、制御部２４は、素データ群に基づいて異物が有ると判定された場合には、制御基準値に対するコンデンサＣ毎の静電容量の変化量を示す制御データ群に基づいて導電性の異物の有無、すなわち操作面１１ａに別の異物が接触したか否かを判定する。具体的には、制御データ群の少なくとも１つが異物判定閾値以下となった場合に異物が有ると判定する。そして、制御部２４は、制御データ群に基づいてタッチ操作の有無を判定する。具体的には、制御データ群の少なくとも１つが所定のプラスの値に設定されたタッチ判定閾値以上となった場合に、タッチ操作が有った、すなわちタッチ操作が行われたと判定する。
【００２６】
コンデンサＣ毎の制御基準値は、素データ群に基づいて操作面１１ａに異物が有ると判定された場合には、このときの素データ群の対応する交点のデータ（コンデンサＣの静電容量）と同一の値（以下、素データ基準値）にそれぞれ設定される。つまり、制御基準値が素データ基準値に設定されると、制御データは、操作面１１ａに異物が接触した状態をゼロ点にしたコンデンサＣ毎の静電容量を示すことになる。一方、コンデンサＣ毎の制御基準値は、素データ群に基づいて操作面１１ａに異物が無いと判定された場合には、初期基準値にそれぞれ設定される。また、コンデンサＣ毎の制御基準値は、制御データ群に基づいて操作面１１ａに異物が有ると判定された場合には、このときの制御データ群の対応する交点のデータ（コンデンサＣの静電容量）と同一の値（以下、制御データ基準値）にそれぞれ設定される。つまり、制御基準値が制御データ基準値とされると、制御データは、操作面１１ａに別の異物が接触した状態をゼロ点にしたコンデンサＣ毎の静電容量を示すことになる。一方、コンデンサＣ毎の制御基準値は、制御データ群に基づいて操作面１１ａに異物が無いと判定された場合には、素データ基準値にそれぞれ設定される。なお。コンデンサＣ毎の制御基準値は、タッチ式入力装置５の起動時には、初期基準値にそれぞれ設定されている。
【００２７】
次に、制御部によるタッチ操作の検出処理手順を図５に示すフローチャートに従って説明する。なお、制御部２４は、所定のサンプリング周期（検出周期）で検出処理を実行し、タッチ操作を検出する。
【００２８】
制御部２４は、検出部２３から検出信号が入力されると（ステップＳ１）、素データ群に基づいて導電性の異物の有無を判定する（ステップＳ２）。その結果、操作面１１ａに異物が有ると判定すると（ステップＳ３：ＹＥＳ）、制御基準値が初期基準値以外の値に設定されていることを示すフラグがセットされているか否かを判定する（ステップＳ４）。このフラグがセットされていない場合には（ステップＳ４：ＮＯ）、制御基準値を素データ基準値に設定し（ステップＳ５）、フラグをセットする（ステップＳ６）。
【００２９】
続いて、制御部２４は、制御データ群に基づいて導電性の異物の有無を判定する（ステップＳ７）。なお、フラグがセットされている場合には（ステップＳ４：ＹＥＳ）には、ステップＳ５，Ｓ６の処理を実行せずに、ステップＳ７に移行して制御データ群に基づく異物判定を行う。その結果、操作面１１ａ上に別の異物が有ると判定されると（ステップＳ８：ＹＥＳ）、制御基準値を制御データ基準値に設定とする（ステップＳ９）。そして、制御部２４は、制御データ群に基づいてタッチ操作の有無を検出する（ステップＳ１０）。なお、制御データ群に基づく異物判定（ステップＳ７）の結果、操作面１１ａ上に異物が無いと判定された場合には（ステップＳ８：ＮＯ）、ステップＳ９の処理を実行せずに、ステップＳ１０に移行して制御データ群に基づくタッチ操作の検出を行う。
【００３０】
一方、制御部２４は、素データ群に基づく異物判定（ステップＳ２）の結果、操作面１１ａ上に異物が無いと判定すると（ステップＳ３：ＮＯ）、制御基準値を初期基準値に設定し直して（ステップＳ１１）、フラグをクリアする（ステップＳ１２）。その後、制御部２４は、ステップＳ１０に移行して制御データ群に基づくタッチ操作の検出を行う。
【００３１】
次に、本実施形態のタッチ式入力装置における操作面に異物が接触した状態でのタッチ操作の検出（作用）について説明する。
図６（ａ）に示すように、タッチパネル１１の操作面１１ａに異物が接触すると、図６（ｂ）に示すように、異物の接触した範囲の素データ群の各データ値（各コンデンサＣの静電容量）はマイナス側に変化するとともに、当該異物周辺の素データ群の値はプラス側に変化する。また、図６（ｃ）において二点鎖線で示すように、制御基準値が初期基準値に設定されている状態では、制御データ群の各データは、素データ群の各データと同様に変化する。なお、図面では、説明の便宜上、素データ群及び制御データ群のうち、異物を通る一方向（Ｘ方向）に沿った各データのみをそれぞれ点で示している。そして、図６に示す状態では、素データ群の少なくとも１つの値が異物判定閾値以下となるため、操作面１１ａに異物が無いと判定され、制御基準値がこのときの素データ群と同一の素データ基準値に設定されることで、図６（ｃ）において太線で示すように、制御データ群の各データはゼロとなる。そして、異物以外の位置にタッチ操作が行われると、制御データ群のうちの指が接触した範囲のデータがプラスに変化することで、適切にタッチ操作が検出される。
【００３２】
また、図６に示す状態から操作面１１ａに別の異物（図示略）が接触すると、制御データ群は、図６（ｃ）において二点鎖線で示すように変化する。すると、制御データ群に基づいて操作面１１ａに別の異物が有ると判定されるため、制御基準値がこのときの制御データ群と同一の制御データ基準値に設定されることで、同図において太線で示すように、制御データ群の各データはゼロとなる。これにより、異物以外の位置にタッチ操作が行われると、制御データ群のうちの指が接触した範囲のデータがプラスに変化することで、適切にタッチ操作が検出される。
【００３３】
続いて、図６に示す状態から図７（ａ）に示すように、操作面１１ａに接触した異物に指が接触すると、図７（ｂ）に示すように、素データ群のうちの指及び異物の接触する範囲全体のデータがプラス側に変化する。換言すると、素データ群は、大きな指が操作面１１ａに接触したときと略同じ態様で変化する。このとき、図７（ｃ）において二点鎖線で示すように、制御データ群の各データは、素データ基準値を基準にしたコンデンサＣの静電容量、すなわち素データ基準値からの静電容量の変化を示す。そして、図７に示す状態では、素データ群の各データは、異物判定閾値以下とならないため、該素データ群に基づいて操作面１１ａに異物が無いと判定され、制御基準値が初期基準値に設定し直される。これにより、図７（ｃ）において太線で示すように、制御データ群は、制御データ群は、初期基準値を基準にしたコンデンサＣの静電容量の変化量を示すことになる。すなわち、制御データ群は、素データ群と同一のデータ群となる。
【００３４】
そして、図８（ａ）に示すように、指が異物に接触したままの状態でなぞり操作が行われ、異物が一体的に操作面１１ａを移動すると、図８（ｂ）に示すように、素データ群の変化する範囲も同様に移動する。ここで、仮に制御基準値が素データ基準値に設定されているとすると、図８（ｃ）において一点鎖線で示すように、制御データ群のうちの操作面１１ａにおける異物の無くなった範囲のデータが、あたかも異物や指が接触したように変化する。この点、本実施形態では、上記のように制御基準値が初期基準値に設定し直されるため、図８（ｃ）において太線で示すように、制御データ群は、素データ群と同一のデータ群となる。これにより、異物の無くなった範囲に異物が接触した等の誤判定がなされることが抑制され、なぞり操作が適切に検出される。
【００３５】
次に、本実施形態の効果について記載する。
（１）制御部２４は、異物の有無によって変更されるコンデンサＣ毎の制御基準値に対する静電容量の変化量を示す制御データ群に基づいてタッチ操作を検出するため、操作面１１ａに異物が接触したままの状態でも、該操作面１１ａに指が接触したときの静電容量の変化を的確に把握でき、タッチ操作を適切に検出することができる。また、制御基準値を、素データ群に基づいて異物が有ると判定した場合には、このときの素データ群と同一の値である素データ基準値とし、素データ群に基づいて異物が無いと判定した場合には、初期基準値とする。そのため、指が異物に接触したままの状態でなぞり操作が行われても、制御データ群が操作面１１ａにおける異物の無くなった範囲で変化することが抑制され、なぞり操作を適切に検出できるようになる。特に、本実施形態では、タッチ式入力装置５が車両に搭載されており、例えばユーザが運転中である場合等、速やかに異物を除去できない状況が存在するため、上記のように操作面１１ａに異物が接触した状態でもタッチ操作を可能とする効果は顕著なものとなる。
【００３６】
（２）制御部２４は、素データ群に基づいて異物が有ると判定した場合には、さらに制御データ群に基づいて異物の有無を判定するため、操作面１１ａに異物が接触した状態から時間を空けてさらに別の異物が接触したか否かを判定することができる。そして、制御基準値を、制御データ群に基づいて異物が有ると判定した場合には、このときの制御データ群と同一の値である制御データ基準値とし、制御データ群に基づいて異物が無いと判定した場合には、素データ基準値する。そのため、時間を空けて操作面１１ａに複数の異物が接触した場合でも、該操作面１１ａに指等が接触したときのコンデンサＣの静電容量の変化を的確に把握でき、タッチ操作を適切に検出することができる。
【００３７】
なお、上記実施形態は、これを適宜変更した以下の態様にて実施することもできる。
・上記実施形態において、制御部２４が制御データ群に基づく異物判定を行わない構成としてもよい。つまり、図５に示すフローチャートにおけるステップＳ７〜Ｓ９を実行しなくてもよい。なお、この場合において、素データ群に基づいて異物が有ると判定される度に、コンデンサＣ毎の制御基準値を、この判定したときの素データ群に応じた素データ基準値に設定してもよい。
【００３８】
・上記実施形態では、制御部２４は、素データ群に基づいてその少なくとも１つのデータが異物判定閾値以下となった場合に異物が接触したと判定した。しかし、これに限らず、例えば素データ群の少なくとも１つのデータが異物判定閾値以下になるとともに、他の少なくとも１つのデータがプラス側に設定された閾値以上となった場合等、他の条件で素データ群に基づく異物判定を行ってもよい。同様に、他の条件で制御データ群に基づく異物判定を行ってもよい。また、タッチ操作の検出も、制御データ群の少なくとも１つがタッチ判定閾値以上となる以外の条件で行ってもよい。
【００３９】
・上記実施形態では、素データ基準値を、操作面１１ａに異物が接触したと判定されたときの素データ群の各データと同一の値としたが、このときの素データに応じた値であれば完全に同一でなくてもよい。同様に、制御データ基準値は、操作面１１ａに異物が接触したと判定されたときの制御データ群の各データと完全に同一の値でなくてもよい。また、初期基準値は、操作面１１ａ上に物体が何も接触していない状態での静電容量の値と完全に同一の値でなくてもよい。
【符号の説明】
【００４０】
５…タッチ式入力装置、１１…タッチパネル、１１ａ…操作面、１２…駆動電極、１３…センサ電極、１４…センサパターン、２１…コントローラ、２２…駆動部、２３…検出部、２４…制御部、２４ａ…メモリ、Ｃ…コンデンサ。
【要約】
【課題】操作面に導電性の異物が接触したままの状態でもタッチ操作を行うことのできるタッチ式入力装置を提供する。
【解決手段】コントローラ２１の制御部２４は、予め設定されたコンデンサ毎の初期基準値に対する静電容量の変化量を示す素データ群に基づいて導電性の異物の有無を判定し、異物の有無によって変更されるコンデンサ毎の制御基準値に対する静電容量の変化量を示す制御データ群に基づいてタッチ操作の有無を判定する。コンデンサ毎の制御基準値は、素データ群に基づいて操作面１１ａに異物が有ると判定された場合には、このときの素データ群における対応するコンデンサの静電容量と同一の値である素データ基準値にそれぞれ設定され、素データ群に基づいて操作面１１ａに異物が無いと判定された場合には、初期基準値にそれぞれ設定される。
【選択図】図４【図１】
0005563698.tif 000002
【図２】
0005563698.tif 000003
【図３】
0005563698.tif 000004
【図４】
0005563698.tif 000005
【図５】
0005563698.tif 000006
【図６】
0005563698.tif 000007
【図７】
0005563698.tif 000008
【図８】
0005563698.tif 000009